(57)【要約】      （修正有）【課題】ローハイト型の自動販売機の、見映えが良く、安心感を高める。【解決手段】商品を収納する自動販売機本体２と、前記自動販売機本体を開閉自在とする外扉とを有する自動販売機において、前記自動販売機の天面２ａを覆うキャップ部材５を設けて自動販売機の見栄えを良くする。好ましくは、前記キャップ部材の前記天面と自動販売機の側面２ｂとの角部２ｃに対応する部分に曲面部５ａを設けることにより、消費者が前記角部にぶつかって衣服や持ち物を損傷したり、けがしたりすることを防止することが可能となる。【選択図】図１
2015114869.tif 000002
【特許請求の範囲】
【請求項１】
商品を収納する自動販売機本体と、
前記自動販売機本体を開閉自在とする外扉と、
前記自動販売機本体の天面、または前記自動販売機本体および前記外扉の天面を覆うキャップ部材と
を備えることを特徴とする自動販売機。
【請求項２】
前記キャップ部材は、前記自動販売機本体の天面と側面との角部に対応する部分に曲面部を有する
ことを特徴とする請求項１に記載の自動販売機。
【請求項３】
前記キャップ部材は、前記自動販売機本体の天面に、固定用ブラケットを介してネジなどの固定用部品で固定されている
ことを特徴とする請求項１または２に記載の自動販売機。
【請求項４】
前記自動販売機本体の天面と前記キャップ部材との間に弾性体を介在させている
ことを特徴とする請求項１〜３の何れか１項に記載の自動販売機。
【請求項５】
前記キャップ部材は、オプション部材を配設可能な空間部を有する
ことを特徴とする請求項１〜４の何れか１項に記載の自動販売機。
【発明の詳細な説明】
【技術分野】
【０００１】
本発明は、自動販売機に関する。
【背景技術】
【０００２】
一般的な自動販売機に対して高さ寸法が低い、いわゆるローハイト型の自動販売機は既に知られており、例えば一般的な自動販売機の高さ寸法が１８００ｍｍ程度であるのに対し、ローハイト型の自動販売機の高さ寸法は、例えば１４００ｍｍ程度である。ローハイト型の自動販売機は、一般的な自動販売機と比較して高さ寸法が低いため、見通しが良く、低重心で倒れにくいといった長所や、さらに、選択押釦や金銭投入口が低い位置にあるため、子供の消費者や車椅子の消費者にも利用しやすいという長所がある。
【０００３】
一方、自動販売機を製造する際は、例えば、特許文献１に開示されているように、帯状の金属板を横曲げして背板とこの背板に隣接する両側板を形成した第１の部材の上部と下部に、天板用の第２の部材と基板用の第３の部材を取り付けてあり、具体的には、第１の部材の両側板部の上方と下方に、内側に折り曲げられたフランジ部を形成し、当該フランジ部の内方から天板用の第２の部材と基板用の第３の部材を差し込んで溶接接合させている。その後、フランジ部の接合面にシール材等を塗布し、水滴等の侵入を防止するようにしている。
【先行技術文献】
【特許文献】
【０００４】
【特許文献１】特開平３−２６０７９４号公報
【発明の概要】
【発明が解決しようとする課題】
【０００５】
しかしながら、この場合、自動販売機の製造が容易であるという長所を有する反面、外箱の天面に、側板から折り曲げられたフランジ部やシール材が露出して、自動販売機の見映えが悪くなるなどの問題点があった。特に、ローハイト型の自動販売機の場合、一般的な自動販売機と比較して高さが低く、自動販売機本体の天面が消費者等の手の届く位置にあり、消費者等の視界に入ってしまうため、その見栄えが悪くなるとともに、フランジ部が露出しているため、その端部に衣服や持ち物が引っかかって損傷したり、けがしたりするおそれがあり、特に問題である。
【０００６】
本発明の自動販売機は、見映えが良く、安心感を高めた自動販売機を提供することを目的とする。
【課題を解決するための手段】
【０００７】
上記課題を解決するために、本発明の自動販売機は、商品を収納する自動販売機本体と、前記自動販売機本体を開閉自在とする外扉と、前記自動販売機本体の天面、または前記自動販売機本体および前記外扉の天面を覆うキャップ部材とを備えることを特徴とする。
【０００８】
前記キャップ部材が、前記自動販売機本体の天面と側面との角部に対応する部分に曲面部を有してもよい。
また、前記キャップ部材が、前記自動販売機本体の天面に固定用ブラケットを介してねじなどの固定用部品で固定されてもよい。また、前記自動販売機本体の天面と前記キャップ部材との間に弾性体を介在させてもよい。
【０００９】
また、前記キャップ部材は、オプション部材を配設可能な空間部を有してもよい。
【発明の効果】
【００１０】
本発明の自動販売機によれば、自動販売機の自動販売機本体の天面をキャップ部材で覆うため、自動販売機の製造工程において使用され、自動販売機本体の外殻をなす外箱の天面と側面とを接合するシール材やフランジ部等を覆い隠すことができ、自動販売機の見映えをよくすることができるとともに安心感を高めることができる。
【００１１】
また、キャップ部材は自動販売機の天面と側面との角部に対応する部分に曲面部を有する場合は、消費者が自動販売機本体の天面の角部にぶつかって、衣服や持ち物を損傷したり、けがしたりすることを防止することができ、自動販売機の安全性が向上する。
【００１２】
また、自動販売機が叩かれるなどして、衝撃が加えられた場合、キャップ部材が振動して騒音を発生させるおそれがあるが、自動販売機本体の天面とキャップ部材との間に弾性体を介在させた場合は、自動販売機に衝撃が加えられた場合であっても、キャップ部材の変形を防いだり、キャップ部材の振動を弾性体が吸収して騒音の発生を防止できる。
【図面の簡単な説明】
【００１３】
【図１】本発明の実施の形態に係る自動販売機の斜視図である。
【図２】同自動販売機のＸ部分拡大図（ａ）、Ｙ部分拡大図（ｂ）である。
【図３】同自動販売機の正面図（ａ）、側面図（ｂ）である。
【図４】同自動販売機のＦ部拡大断面図（ａ）、Ｓ部拡大断面図（ｂ）である。
【図５】同自動販売機の正面図（ａ）、側面図（ｂ）、自動販売機本体平面図（ｃ）、キャップ部材平面図（ｄ）である。
【図６】同自動販売機の正面図（ａ）、側面図（ｂ）、箱体平面図（ｃ）、蓋体平面図（ｄ）である。
【発明を実施するための形態】
【００１４】
図１〜５に示すように、本発明の実施の形態に係る自動販売機１は、飲料等の商品を収納する自動販売機本体２と、自動販売機本体２に支持され、自動販売機１を開閉自在とする外扉３とを備えていることに加えて、さらに自動販売機本体２の天面２ａを覆うキャップ部材５を備えている。なお、図１においては外扉３を省略している。
【００１５】
また、本実施の形態に係る自動販売機１は、高さ寸法が通常の自動販売機の高さ寸法が１８００ｍｍ程度であるのに対して１４００ｍｍと低い、いわゆるローハイト型の自動販売機である。
【００１６】
自動販売機本体２の天面２ａには、キャップ部材５を自動販売機本体２の天面２ａに取り付けるためのブラケット４がブラケット用ネジＳ１で固定されている。より具体的には、ブラケット４は左右に延びる形状であるとともに前後に二つ設けられ、自動販売機本体２の天面２ａに平行な位置に配設されている。ブラケット４は、自動販売機本体２の天面２ａに固定され底面４ａと、この底面４ａよりも上方に突出した凸面部４ｂとを有しており、ブラケット４の底面４ａと自動販売機本体２の天面２ａとがブラケット用ネジＳ１で固定されている。
【００１７】
また、図４（ａ）、（ｂ）等に示すように、ブラケット４の凸面４ｂとキャップ部材５とがキャップ部材用ネジＳ２で固定されている。キャップ部材５は、自動販売機１の自動販売機本体２と奥行と幅がそれぞれほぼ同じの板材で構成され、高さは１５ｍｍ程度である。さらに、自動販売機本体２の天面２ａと側面２ｂとの角部２ｃに対応する部分、すなわち、角部２ｃの真上部分に曲面部５ａを有している。そして、キャップ部材５は自動販売機本体２の天面２ａの全部を覆うように、ブラケット４の凸面４ｂにキャップ部材用ネジＳ２で固定されている。ブラケット４の凸面４ｂが突出した長さの分だけ、自動販売機本体２の天面２ａとキャップ部材５との間に隙間がある状態で、キャップ部材５が取り付けられている。ブラケット４の、キャップ部材用ネジＳ２を取り付けた部分にはラベルＬが貼り付けられており、このラベルＬによってキャップ部材用ネジＳ２が隠されて自動販売機１の見映えを向上させている。
【００１８】
また、図１に示すように、自動販売機本体２の天面２ａとキャップ部材５との隙間に、弾性体としてのスポンジ部材６を介在させても良い。図１では棒状のスポンジ部材６をブラケット４と平行な長手の方向に３本配設させている。棒状のスポンジ部材６のうち両端の２本をブラケット４に沿わせて配置することで、製造時のスポンジ部材６の位置決めを容易にしてあり、その略中央の位置にもう一つのスポンジ部材６を配設させている。弾性体は、天面２ａの全面を覆うものであってもよいが、弾性体の面積が大きすぎると天面２ａやキャップ部材５への圧力が高まり、変形するおそれがあるため、面積の小さな棒状や板状のものを数個配置することが好ましい。
【００１９】
本実施の形態に係る自動販売機１を製造する際は、例えば、金属板等から自動販売機本体２の天面２ａは、側面２ｂの上方を内側に折り曲げたフランジ部２ｄの下方に差し込まれて溶接接合され、天面２ａとフランジ部２ｄの隙間はシール材Ａによってシールされて自動販売機本体２の外箱を形成している。この製造方法によれば、製造方法が容易であるという長所を有するが、外箱の天面と側面とを接合するフランジ部２ｄおよびシール材Ａが自動販売機本体の天面から露出してしまうこととなる。さらに、自動販売機本体２の天面２ａと側面２ｂとの角部２ｃが略垂直となる。
【００２０】
これに対応して、本実施の形態の自動販売機１によれば、自動販売機本体２の天面２ａをキャップ部材５で覆うため、自動販売機の製造工程において使用され、自動販売機本体の外殻をなす外箱の天面と側面とを接合するフランジ部２ｄやシール材Ａ等を覆い隠すことができ、自動販売機の見映えをよくすることができるとともに、フランジ部２ｄのような金属板の端部が露出していないので安心感を高めることができる。
【００２１】
さらに、キャップ部材５は自動販売機１の天面２ａと側面２ｂとの角部２ｃに対応する部分に曲面部５ａを有するため、消費者が角部２ｃにぶつかって衣服や持ち物を損傷したり、けがしたりすることを防止することができ、自動販売機１の安全性が向上する。
【００２２】
さらに、自動販売機１が叩かれるなどして、衝撃が加えられた場合、キャップ部材５が変形したり振動して騒音を発生させるおそれがあるが、上記のように自動販売機本体２の天面２ａとキャップ部材５との間にスポンジ部材６などの弾性体を介在させた場合は、自動販売機１に衝撃が加えられた場合であっても、キャップ部材５の変形を防いだり、キャップ部材５の振動をスポンジ部材６が吸収して騒音の発生を防止できる。
【００２３】
なお、本実施の形態では、キャップ部材５の高さが１５ｍｍ程度である場合を述べたが、これに限られず、２００ｍｍ〜４００ｍｍ程度であってもよい。例えば、図６に示すように、箱体５１と蓋体５２とでキャップ部材５を構成して、箱体５１の正面５１ａや側面５１ｃにオプション部材の広告物Ｄを表示してもよく、広告物Ｄを配設可能としても良い。具体的には、箱体５１は、底面５１ｂと正面５１ａと両側面５１ｃとを有しており、キャップ部材用ネジＳ２により自動販売機本体２の天面２ａのブラケット４に取り付けられ、上面５２ａと背面５２ｂとをもった蓋体５２を取り付けている。これにより、箱体５１と蓋体５２とで広告物Ｄを配設可能な空間を形成している。
【００２４】
このように、配設空間の内部に、広告物Ｄを配設して表示させればキャップ部材に広告機能を持たせることができる。特にローハイト型の自動販売機の場合、広告の表示位置が消費者の目前に表示されるため効果的である。また、広告物Ｄに代えて広告を表示させるディスプレイ等の表示部材や、案内板、花飾りやキャラクター等の装飾・展示部材、パンフレットやおしぼり等の収納部材、照明や無線通信装置等の機能部品などのオプション部材を設けてもよい。また、キャップ部材５は、自動販売機本体２の天面２ａの全部を覆うような箱状体で広告物Ｄを配設可能な空間を形成してあれば前記箱体５１と蓋体５２とで構成するものに限らず、天面部材と天面部材を除く箱状部材とで構成してもよいし、天面あるいは側面に曲面部を有した箱状体で構成してもよい。
【００２５】
なお、本実施の形態では、自動販売機本体２の天面２ａと側面２ｂとの角部２ｃに対応する部分に曲面部５ａを有する場合を述べたが、これに限られず、角部２ｃに対応する部分に曲面部を有していなくとも、フランジ部２ｄやシール材Ａを覆い隠すことができて、自動販売機の見映えを向上させることができる。
【００２６】
なお、本実施の形態では、自動販売機本体２の天面２ａのみを覆うキャップ部材５について述べたが、これに限られず、キャップ部材５が自動販売機本体２の天面２ａと外扉３の天面とを覆うようにしても良い。
【００２７】
また、本実施の形態では、自動販売機本体２の天面２ａと側面２ｂとの角部２ｃに対応する部分に曲面部５ａを設ける場合を述べたが、これに限られず、さらに自動販売機本体２の前面と天面との角部や、背面と天面との角部に曲面部を設けてこれらの角部を曲面部で覆うように構成しても良い。
【００２８】
また、本実施の形態では、自動販売機本体２とキャップ部材５とを、ブラケット４を介してネジＳ１、Ｓ２で固定する場合を述べたが、これに限られず、例えば、板バネやラッチ等を用いて自動販売機とキャップ部材とを固定しても良い。
【００２９】
また、本実施の形態では、自動販売機本体２の天面２ａとキャップ部材５との間に、スポンジ部材６を介在させた場合を述べたが、これに限られず、例えばゴム等、他の弾性体を用いてもよく、これによっても自動販売機に衝撃があった際に、騒音の発生を防止できる。
【符号の説明】
【００３０】
１          自動販売機
２          自動販売機本体
２ａ        天面
２ｂ        側面
２ｃ        角部
３          外扉
４          ブラケット
５          キャップ部材
６          スポンジ部材
Ｓ１、Ｓ２  ネジ
【図１】
2015114869.tif 000003
【図２】
2015114869.tif 000004
【図３】
2015114869.tif 000005
【図４】
2015114869.tif 000006
【図５】
2015114869.tif 000007
【図６】
2015114869.tif 000008